(57)【要約】      （修正有）【課題】安全であり、安価であり、壊れにくく、使いやすいバッティング練習器具を提供する。【解決手段】バッティング練習器具２０は、可動アーム４の先端部分から吊り下げ用輪３と紐体２を介して穴部１１を有する軽量ボール６が吊り下げられ、固定されている吊り下げ方式のものである。可動アーム４の一端（支点部分）は、回動可能な状態で支柱に固着されており、この支柱は固定台７に略垂直方向に固着されている。可動アーム４の先端部分には、透明な紐体２が取り付けられており、その紐体２の下端部には、弾性体である逆Ｕ型バネ１が取り付けられている。軽量ボール６は、逆Ｕ型バネ１を押し縮められた状態で穴部１１に挿入され、摩擦力によって逆Ｕ型バネ１に固定され、吊り下げられている。【選択図】図１
0003199482.tif 000002
【実用新案登録請求の範囲】
【請求項１】
可動アーム４の先端部分から、紐体２を介して穴部１１を有するボールが吊り下げられ、固定されている吊り下げ方式のバッティング練習器具２０であって、前記可動アーム４の一端は、回動可能な状態で支柱に固着されており、該支柱は、固定台７に略垂直方向に固着され、前記可動アームの先端部分には、紐体２が取り付けられており、該紐体２の下端部には、弾性体である逆Ｕ型バネ１が取り付けられている。前記ボールは、前記逆Ｕ型バネ１を押し縮められた状態で前記穴部１１に挿入されて固定され、吊り下げられていることを特徴とするバッティング練習器具２０。
【請求項２】
前記紐体２の上端部は、吊り下げ用輪３を介して前記可動アーム４の先端部分に取り付けられていることを特徴とする請求項１記載のバッティング練習器具２０。
【請求項３】
前記紐体２は、透明な糸であることを特徴とする請求項１又は請求項２記載のバッティング練習器具２０。
【請求項４】
前記ボールは、野球練習用の樹脂製軽量ボール６であることを特徴とする請求項１記載のバッティング練習器具２０。
【請求項５】
前記支柱は、外支柱８と中支柱１０の二本で構成されており、該中支柱１０は、前記外支柱８の内側に挿入され、中支柱固定ネジ９によって、スライド可能な状態で固着されていることを特徴とする請求項１記載のバッティング練習器具２０。
【考案の詳細な説明】
【技術分野】
【０００１】本考案は、バッティング練習器具に関するものである。
【背景技術】
【０００２】野球などのバッティング練習では、従来からスタンド・ティー方式のバッティング練習器具が多く用いられている。スタンド・ティー方式のバッティング練習器具は、支柱の頂部にボールを設置し、そのボールをバットで打つ（叩く）バッティング練習器具である。
しかし、低目の位置にボールを設置するような場合には、ボールと支柱とを同時に叩くことが多いという欠点があった。特にインコースの低めにボールを設置するような場合には、バットの先端が斜下方向を向くので、ボールと支柱とを同時に叩くような場合が多くなる。
そこで、ボールを吊り下げて、そのボールをバットで打つ吊り下げ方式のバッティング練習器具が開発されている。これらのバッティング練習器具は、略垂直方向に設置されている支柱に、略水平方向に腕（アーム）を取り付け、その腕の部分に紐等でボールを吊り下げる方式のものである。これらのバッティング練習器具を用いると、バットで支柱を叩くおそれもなく、全てのコースのバッティング練習を可能とすることができる。
なお、これらの吊り下げ方式のバッティング練習器具には、ボールが紐等でしっかりと結束されている固定式のものと、バットに当たるとボールがその方向に飛んで行く飛翔式の二通りのものがある。ここで、固定式のバッティング練習器具は、ボールが紐等に固定されており飛ばないことから、打球の方向・角度・スピード等が視認できないという問題点がある。
一方、飛翔式のバッティング練習器具は、打球が紐等から離れて飛んで行くので、打球の方向やスピードなどが視認できることから、バッティングの良し悪しが容易に判断できるという利点がある。そこで、飛翔式のバッティング練習器具が開発されている（特許文献１乃至特許文献４）。
【先行技術文献】
【特許文献】
【０００３】
【特許文献１】  特開平８−５７０９５号公報
【０００４】
【特許文献２】  特開２０１４−１８０５５４号公報
【０００５】
【特許文献３】  特開２０１０−１５５１６７号公報
【０００６】
【特許文献４】  特開平１０−２３４９１５号公報
【考案の概要】
【考案が解決しようとする課題】
【０００７】しかしながら、上述した特許文献１乃至特許文献４に記載の飛翔式のバッティング練習器具は、いずれも高価であること、壊れやすいこと、使いにくいこと、及び安全性などの面において問題点があった。
本考案は、上述した問題点を解決するものであり、安全性に優れており、安価であり、壊れにくく、使いやすいバッティング練習器具を提供するものである。
【課題を解決するための手段】
【０００８】本考案は、上述したような従来からの問題点を解決するものである。
請求項１に記載された考案は、可動アーム４の先端部分から、紐体２を介して穴部１１を有するボール６が吊り下げられ、固定されている吊り下げ方式のバッティング練習器具２０であって、前記可動アーム４の一端は、回動可能な状態で支柱に固着され、該支柱は、固定台７に略垂直方向に固着されている。
前記可動アームの先端部分には、紐体２が取り付けられ、該紐体２の下端部には、弾性体である逆Ｕ型バネ１が取り付けられており、前記ボールは、前記逆Ｕ型バネ１を押し縮められた状態で前記穴部１１に挿入され、固定されて吊り下げられていることを特徴としている。
請求項１に記載の考案によると、安価であり、壊れにくく、使いやすいバッティング練習器具２０を提供することができる。
請求項２に記載した考案は、請求項１に記載の考案において、前記紐体２の上端部は、吊り下げ用輪３を介して前記可動アーム４の先端部分に取り付けられていることを特徴とする。
請求項２に記載の考案によると、経時劣化などによって使用中に紐体２が切断されたような場合でも、紐体２の交換を容易にすることができる。
請求項３に記載の考案は、請求項１又は請求項２記載の考案において、前記紐体２は、透明な糸であることを特徴とする。
請求項３に記載の考案によると、ボール６が空中に静止しているように見えるのでより好ましくすることができる。
請求項４に記載の考案は、請求項１記載の考案において、前記ボールは、野球練習用の樹脂製軽量ボール６であることを特徴としている。
請求項４に記載の考案によると、安全性に優れており、かつ安価に製造することができる。
請求項５に記載の考案は、請求項１に記載の考案において、前記支柱は、外支柱８と中支柱１０の二本で構成されており、該中支柱１０は、前記外支柱８の内側に挿入され、中支柱固定ネジ９によってスライド可能な状態で固着されていることを特徴としている。
請求項５に記載の考案によると、可動アーム４の高さを自由に調節することができるので好ましい。
【考案の効果】
【０００９】本考案を用いると、安全性に優れており、安価で、壊れにくく、使いやすいバッティング練習器具を提供することができる。
【図面の簡単な説明】
【００１０】
【図１】  バッティング練習器具２０の概略図である。
【図２】  ボールを支持する部分の詳細な説明図である。（ａ）逆Ｕ型バネ１の概略図である。（ｂ）軽量ボール６に逆Ｕ型バネ１を固定する状態図である。
【考案を実施するための形態】
【００１１】以下において、本考案に係わるバッティング練習器具２０の実施の形態について図１及び図２を用いて詳細に説明する。
本考案に係わるバッティング練習器具２０は、回動可能な可動アーム４の先端部分から、紐体２を介して穴部１１を有する軽量ボール６が吊り下げられて、固定されている吊り下げ方式のものである。そして、ボールにバットが当たると、その衝撃によって飛んで行く飛翔式のものである（図１）。
本考案に係わるバッティング練習器具２０は、重量物である固定台７に、支柱、例えば、細長い円筒状をした外支柱８が略垂直方向に固着されている。外支柱８の内側には径の小さな細長い円筒状をした中支柱１０が上下にスライド可能な状態で挿入されている。内側の中支柱１０は、中支柱固定ネジ９によってスライド可能な状態で外支柱８に固着することができる。このように、支柱部分をスライド可能にすることによって、可動アーム４の高さを自由に調節することができる。
なお、外支柱８と中支柱１０の２本の支柱や中支柱固定ネジ９等を用いずに、その高さ（長さ）寸法の変更ができない１本の支柱、例えば、細長い円筒や中空の角柱などにすることによって、支柱部分をより安価に製造することができる。
中支柱１０の上端には、回動可能な状態で可動アーム４の一端（支点となる部分）を固着できるアーム取り付けネジ５が設置されている。可動アーム４を回動可能にすることによって、ボールの位置（内角、外角、高低等のコース）の調整を容易にすることができる。
この可動アーム４の先端部分には、吊り下げ用輪３が設置されており、この吊り下げ用輪３に紐体２の上端部が、例えば、結ばれた状態で取り付けられている。吊り下げ用輪３を介して紐体２の上端部を可動アーム４の先端部分に取り付けることによって、経時劣化などによって使用中に紐体２が切断されたような場合でも、紐体２の交換を容易にすることができる。
また、この紐体２の材質として透明な紐、例えば、透明な釣り糸などを用いることによって、ボール６が空中に静止しているように見えるのでより好ましいことがわかった。
紐体２の下端部には、略逆Ｕ字状（又は、略逆Ｖ字状）をした逆Ｕ型バネ１が固着、例えば、結ばれている。この逆Ｕ型バネ１は、弾力性のある金属、例えば、弾性体である鋼製やステンレス製のものが好ましい。
本考案に係わるバッティング練習器具２０では、軽量ボール６は、例えば、ＥＶＡ樹脂製の野球練習用軽量ボールを用いるようにした。
軽量ボール６として、一般的に使用されている野球練習用の軽量ボールを用いる事によって、安全性に優れ、かつ安価に製造することができる。この軽量ボール６には、逆Ｕ型バネ１を挿入して固定するために、少なくとも１個の穴部１１が形成されている。
逆Ｕ型バネ１の略中央部Ａ、Ｂを指などでつまんで押し縮められた状態（狭めた状態、図２（ａ）点線の状態）で、軽量ボール６の穴部１１の縁辺Ｃ，Ｄに挿入し、指を離して装着する図２（ｂ）。この逆Ｕ型バネ１は、弾性体なので元の状態まで反発して広がる性質があるので、その摩擦力（広がり力）によって、軽量ボール６は落下することなく吊り下げられた状態のまま固定される。すなわち、軽量ボール６は、衝撃等によって比較的容易に取り外しが可能な状態で逆Ｕ型バネ１に固定して吊り下げることができる。ここで、逆Ｕ型バネ１と軽量ボール６との摩擦力として、１００〜２００ｇ重の張力で外れる程度に調整すると、バッティング練習器具２０として好ましいことがわかった。
そして、練習したい位置（内角、外角、高低等のコース）に軽量ボール６をセットする。軽量ボール６の位置は、支柱固定ネジ９によって中支柱１０の上端部分を上下させたり、アーム取り付けネジ５を緩めて可動アーム４の先端部分の位置を回動させたりすることによって自由に調節できる。
この状態で金属バットなどにより、吊り下げられた軽量ボール６を打つ（叩く）ことにより、その際の衝撃によって軽量ボール６の穴部１１から逆Ｕ型バネ１が簡単に外れて、軽量ボール６は打たれた方向へ飛んで行く。
本考案に係わるバッティング練習器具２０を用いることによって、苦手なコースを打つための繰り返し練習ができる。また、打たれた軽量ボール６は、逆Ｕ型バネ１から離れ、打者の意図する方向に飛んでいったか否かを容易に視認することもできる。
本考案に係わるバッティング練習器具２０は、軽量ボール６を用いているので安全性にも優れており、一般家庭等での室内練習や子供同士の練習にも使用できる。加えて、構成部品数も少なく構造も簡単なので、安価に製造できるとともに、壊れにくく、使いやすいバッティング練習器具を提供することができる。
【００１２】
【産業上の利用可能性】
【００１３】本考案は、バッティング練習器具２０に使用することができる。
【符号の説明】
【００１４】  １  逆Ｕ型バネ
２  紐体
３  吊り下げ用輪
４  可動アーム
５  アーム取り付けネジ
６  軽量ボール
７  固定台
８  外支柱
９  中支柱固定ネジ
１０  中支柱
１１  穴部
１２  ホームベース
１３  バッタースボックス
２０  バッティング練習器具
Ａ  逆Ｕ型バネ中間部
Ｂ  逆Ｕ型バネ中間部
Ｃ  縁辺
Ｄ  縁辺
【図１】
0003199482.tif 000003
【図２】
0003199482.tif 000004